(57)【要約】【課題】高揚程ポンプとしての揚液の高所或いは長距離移送機能を損うことなく、しかも汚水中における異物の噛み込みを生じさせることのない、水中遠心ポンプの拘束防止構造を提供すること。【解決手段】内装される羽根車２と同心状に形成されたポンプケーシング１の内周面上方部と、シュラウド３の外周面との対向面間に狭小な環状間隙４を保有させ、ポンプケーシング１の内周面上方部およびシュラウド３の外周面の双方またはいずれか一方に羽根車２の回転方向に沿って巻き下がる螺子溝４ｓを刻設する。そしてポンプケーシング１内へ吸込まれた揚液中の異物は、前記螺子溝４ｓからの下方向の流れにより、環状間隙４への侵入を排除して羽根車２の拘束事故を防止し、また、狭小な環状間隙４の存在により、高揚程ポンプとしての揚液の高所或いは長距離移送機能が損われることはない。【選択図】        図１
2005240629.tif 000002
【特許請求の範囲】
【請求項１】
内装される羽根車と同心状に形成されたポンプケーシングの内周面上方部と、前記羽根車のシュラウド外周面との対向面間に狭小な環状間隙を保有させ、ポンプケーシングの内周面上方部および羽根車のシュラウド外周面の双方またはいずれか一方に羽根車の回転方向に沿って巻き下がる螺子溝が刻設されていることを特徴とする、水中遠心ポンプの拘束防止構造。
【請求項２】
羽根車の羽根板は、先端部の肉厚を薄くし該先端部における外周長さが短くなるよう構成したことを特徴とする、請求項１記載の水中遠心ポンプの拘束防止構造。
【発明の詳細な説明】
【技術分野】
【０００１】
本発明は、水中遠心ポンプの拘束防止構造に関するものである。
【背景技術】
【０００２】
周知のように、水中遠心ポンプでは高揚程化等に伴い、ポンプケーシング内周面と羽根車外周との間に形成される環状間隙（側方クリアランス）が狭められた構造となっている（例えば、特許文献１および２参照。）。しかし、高揚程化等に対応させて側方クリアランスを狭くすれば、汚水中では異物の噛み込みによる羽根車拘束（ロック）事故が問題となる。また、異物の噛み込みを生じさせないため側方クリアランスを大きくすれば、高揚程ポンプとしての揚液の高所或いは長距離移送機能が損われることになる。
【特許文献１】特開２０００−１７９４８９号公報  （第１−４図）
【特許文献２】特開２００２−２１７６９号公報  （第１図）
【発明の開示】
【発明が解決しようとする課題】
【０００３】
解決しようとする課題は、高揚程ポンプとしての揚液の高所或いは長距離移送機能を損うことなく、しかも汚水中における異物の噛み込みを生じさせることのない、水中遠心ポンプの拘束防止構造を提供することである。
【課題を解決するための手段】
【０００４】
本発明では、ポンプケーシングの内周面上方部と、前記羽根車のシュラウド外周面との対向面間に狭小な環状間隙を保有させ、ポンプケーシングの内周面上方部および羽根車のシュラウド外周面の双方またはいずれか一方に羽根車の回転方向に沿って巻き下がる螺子溝が刻設されていることを、最も主要な特徴とする。
【発明の効果】
【０００５】
本発明によれば、ポンプケーシング内へ吸込まれた揚液中の異物が、ポンプケーシングの内周面上方部と羽根車のシュラウド外周面との対向面間の環状間隙に入り込もうとしても、該環状間隙に下方向の流れが生じることによって、異物の噛み込みによる羽根車の拘束（ロック）事故を起すことがなく、また、環状間隙は狭小に形成されているため、高揚程ポンプとしての揚液の高所或いは長距離移送機能が損われることもない。
【発明を実施するための最良の形態】
【０００６】
内装される羽根車と同心状に形成されたポンプケーシングの内周面上方部と、前記羽根車のシュラウド外周面との対向面間に狭小な環状間隙を保有させ、羽根車のシュラウド外周面には、羽根車の回転方向に沿って巻き下がる螺子溝を刻設する。
【実施例１】
【０００７】
図１および図２において、１はポンプケーシングであり、内装される羽根車２と同心状に形成された内周面を有している。羽根車２のシュラウド３は、外周面がポンプケーシング１の内周面上方部と狭小な環状間隙４を保って対向し、該シュラウド３の外周面には、羽根車２の回転方向に沿って巻き下がる螺子溝４ｓが刻設されている。５・・５は羽根板、６はポンプケーシング１の下壁中央に開設された吸込口、７はポンプケーシング１の側壁の一側部に開設された吐出口である。この構造により、水中遠心ポンプの運転時、吸込口６からポンプケーシング１内へ吸込まれた揚液中の異物が、前記環状間隙４内に入り込もうとしても、該シュラウド３の外周面に刻設された螺子溝４ｓによって下方向の流れが生じているため、異物の侵入は阻止せられ、異物の噛み込みによる羽根車２の拘束（ロック）事故を起すことなく、異物はポンプケーシング１内を一巡して吐出口７から揚液と共に揚送される。また、環状間隙４は狭く形成されているため、高揚程ポンプとしての揚液の高所或いは長距離移送機能が損われることはない。
【実施例２】
【０００８】
図３および図４において、１はポンプケーシングであり、内装される羽根車２と同心状に形成された内周面を有しており、該内周面の上方部と羽根車２のシュラウド３の外周面とは狭小な環状間隙４を保って対向し、且つ、ポンプケーシング１の内周面上方部には羽根車２の回転方向に沿って巻き下がる螺子溝４ｓが刻設されている。５・・５はシュラウド３の下面に配設された羽根板、６はポンプケーシング１の下壁中央に開設された吸込口、７はポンプケーシング１の側壁の一側部に開設された吐出口である。この構造により、水中遠心ポンプの運転時、吸込口６からポンプケーシング１内へ吸込まれた揚液中の異物が、前記環状間隙４内に入り込もうとしても、ポンプケーシング１の内周面上方部に刻設された螺子溝４ｓによって下方向の流れが生じているため、異物の侵入は阻止せられ、異物の噛み込みによる羽根車２の拘束（ロック）事故を起すことなく、異物はポンプケーシング１内を一巡して吐出口７から揚液と共に揚送される。また、環状間隙４は狭く形成されているため、高揚程ポンプとしての揚液の高所或いは長距離移送機能が損われることはない。
【実施例３】
【０００９】
図５および図６において、１はポンプケーシングであり、内装される羽根車２と同心状に形成された内周面を有しており、該内周面の上方部と羽根車２のシュラウド３の外周面とは狭小な環状間隙４を保って対向し、且つ、該対向するシュラウド３の外周面およびポンプケーシング１の内周面上方部には羽根車２の回転方向に沿って巻き下がる螺子溝４ｓ，４ｓがそれぞれ刻設されている。５・・５はシュラウド３の下面に配設された羽根板、６はポンプケーシング１の下壁中央に開設された吸込口、７はポンプケーシング１の側壁の一側部に開設された吐出口である。この構造により、水中遠心ポンプの運転時、吸込口６からポンプケーシング１内へ吸込まれた揚液中の異物が、前記環状間隙４内に入り込もうとしても、ポンプケーシング１の内周面上方部および羽根車２のシュラウド３の外周面に刻設された螺子溝４ｓによって下方向の流れが生じているため、異物の侵入は阻止せられ、異物の噛み込みによる羽根車２の拘束（ロック）事故を起すことなく、異物はポンプケーシング１内を一巡して吐出口７から揚液と共に揚送される。また、環状間隙４は狭く形成されているため、高揚程ポンプとしての揚液の高所或いは長距離移送機能が損われることはない。
【実施例４】
【００１０】
図１ないし図６の構成を前提として、羽根車２の羽根板５・・５は図７に示すよう、先端部５ｅの肉厚を薄くし該先端部５ｅにおける外周長さ５ａが可能な限り短くなるよう構成する。この構成により、異物は羽根板５・・５の回転後方側へ逃がされることになり、実施例１ないし３における螺子溝４ｓにより発生する下方向の水流の作用とが相俟って、異物の噛み込みによる羽根車２の拘束（ロック）事故防止効果が一層高められる。また、狭い環状間隙４の存在により、高揚程ポンプとしての揚液の高所或いは長距離移送が有効に機能することについても、実施例１ないし３の場合と同じである。
【図面の簡単な説明】
【００１１】
【図１】本発明構造を備えた水中遠心ポンプの要部縦断側面図であって、羽根車の回転方向に沿って巻き下がる螺子溝が、羽根車シュラウドの外周面に刻設されている事例を示す。
【図２】図１の要部拡大図である。
【図３】本発明構造を備えた水中遠心ポンプの要部縦断側面図であって、羽根車の回転方向に沿って巻き下がる螺子溝が、ポンプケーシングの内周面上方部に刻設されている事例を示す。
【図４】図３の要部拡大図である。
【図５】本発明構造を備えた水中遠心ポンプの要部縦断側面図であって、羽根車の回転方向に沿って巻き下がる螺子溝が、羽根車シュラウドの外周面およびポンプケーシングの内周面上方部にそれぞれ刻設されている事例を示す。
【図６】図５の要部拡大図である。
【図７】本発明構造における羽根車の要部底面図である。
【符号の説明】
【００１２】
１      ポンプケーシング
２      羽根車
３      シュラウド
４      環状間隙
４ｓ    螺子溝
５      羽根板
５ａ    外周長さ
５ｅ    羽根板先端部
【図１】
2005240629.tif 000003
【図２】
2005240629.tif 000004
【図３】
2005240629.tif 000005
【図４】
2005240629.tif 000006
【図５】
2005240629.tif 000007
【図６】
2005240629.tif 000008
【図７】
2005240629.tif 000009